(57)【要約】【課題】簡素な構成で、原稿を搬送しながら該原稿上の画像情報を読み取ることができる画像読取装置を提供する。【解決手段】原稿Ｄは、互いに対向する１対の案内部材２０１，２０２から構成される搬送路に沿って、第１の読取部３０に搬入される。第１の読取部３０には、スキャナユニット５９が設けられ、スキャナユニット５９は、表面に複数の読取画素がマトリクス状に配列され、透明で可撓性を有するシートからなる。スキャナユニット５９は、上記搬送路に対して傾けて配置され、その端部５９ａは、案内部材２０２上の基準部材２０２ａと接触するように案内部材２０１の端部２０１ａに固着されている。原稿Ｄは、スキャナユニット５９の端部５９ａと基準部材２０２ａとの間に挟まれながら通過する。この際に、スキャナユニット５９により原稿Ｄの表面上の画像情報が読み取られる。【選択図】図２
2007180844.tif 000002
【特許請求の範囲】
【請求項１】
互いに間隔をおいて対向しかつ原稿の搬送方向へ伸びる１対の案内部材を有する搬送路と、
前記搬送路に沿って原稿を搬送する原稿搬送手段と、
可撓性を有し、複数の光センサが配置されているシート状の基材からなる画像読取手段とを備え、
原稿の搬送方向に対して傾斜させることで前記基材の端部が前記１対の案内部材の一方と当接するように前記１対の案内部材の他方に前記基材が固着され、
前記原稿搬送手段により原稿を搬送して前記基材の前記端部と前記一方の案内部材との間を通過させながら、前記原稿上の画像情報を前記画像読取手段により読み取ることを特徴とする画像読取装置。
【請求項２】
前記画像読取手段の基材は、複数の光センサがマトリクス状に配列されていることを特徴とする請求項１記載の画像読取装置。
【請求項３】
前記画像読取手段は、基材の端部が前記１対の案内部材の一方と当接するように前記１対の案内部材の他方に前記基体が固着され、前記原稿搬送手段により搬送される前記原稿の一方の面上の画像情報を読み取る第１の画像読取手段と、基材の端部が前記１対の案内部材の他方と当接するように前記１対の案内部材の一方に前記基体が固着され、前記原稿搬送手段により搬送される前記原稿の他方の面上の画像情報を読み取る第２の画像読取手段とを含むことを特徴とする請求項１または２記載の画像読取装置。
【請求項４】
前記画像読取手段の前記複数の光センサの配列パターンは、各光センサが前記原稿の搬送方向と直交する方向と、前記原稿の搬送方向とのそれぞれに沿って配列されるパターンであることを特徴とする請求項２記載の画像読取装置。
【請求項５】
シェーディングデータを得るための基準部材を備え、
前記基準部材は、前記一方の案内部材における前記基材の前記端部が当接される部位の近傍に設けられていることを特徴とする請求項１記載の画像読取装置。
【請求項６】
前記基材は光透過性を有し、前記基材の裏面側に前記原稿を少なくとも照明するための光源が配置され、前記基材を介して、前記原稿を照明することを特徴とする請求項１記載の画像読取装置。
【請求項７】
請求項１ないし６のいずれか１つに記載の画像読取装置を備えることを特徴とする画像形成装置。
【発明の詳細な説明】
【技術分野】
【０００１】
本発明は、原稿を搬送しながら該原稿上の画像情報を読み取る画像読取装置およびそれを備える画像形成装置に関する。
【背景技術】
【０００２】
従来、複写機などには、画像読取装置が設けられている。この画像読取装置として、自動原稿給送装置から給紙された原稿を、副走査方向へ搬送しながら、所定位置に停止されているスキャナユニットにより読み取ることが可能なものがある。また、原稿の両面を読み取ることが可能なものがある（例えば特許文献１参照）。
【０００３】
原稿の両面読取が可能な画像読取装置を搭載する画像形成装置ついて図５を参照しながら説明する。図５は従来の画像読取装置を備える画像形成装置の構成を示す縦断面図である。
【０００４】
画像形成装置は、図５に示すように、原稿上の画像情報を読み取るための画像読取装置Ａおよび画像読取装置Ａにより読み取られた画像情報を用紙上へ形成するプリンタ装置Ｂを備える。
【０００５】
画像読取装置Ａは、自動原稿給送装置（Auto Document Feeder、以下ＡＤＦという）２と、スキャナ装置１とから構成される。ＡＤＦ２は、原稿トレイ１２、ピックアップローラ４３、分離ローラ対４４ａ，４４ｂ、複数の搬送ローラ４６，４８、排出ローラ４９、および排出トレイ５０を有する。原稿トレイ１２には原稿Ｄが積載される。原稿トレイ１２に積載された原稿Ｄは、ピックアップローラ４３および分離ローラ対４４ａ，４４ｂにより１枚ずつ分離されて搬送路１５６に送られる。そして、原稿Ｄは、搬送ローラ４６により、搬送路１５６に沿って搬送され、スキャナ装置１により当該原稿Ｄ上の画像が読み取れる。画像が読み取られた原稿は、搬送ローラ４８および排出ローラ４９により、排出トレイ５０上へ排紙される。
【０００６】
また、原稿Ｄの両面の読み取りを可能にするために、搬送ローラ４８の下流側に反転フラップ１５２が設けられている。また、原稿Ｄの読取面を反転するための反転搬送路１５３が設けられている。
【０００７】
スキャナ装置１は、プラテンガラス２２と、プラテンガラス２２の下方に配置されているスキャナユニット２１とを有する。スキャナユニット２１は、ガイドレール２４に案内されながら図中の矢印Ｆが示す方向（副走査方向）へ移動可能に構成されている。スキャナユニット２１は、原稿を照明するための複数のランプ２１ｃと、ラインＣＣＤ（Charge Coupled Device）２１ｇと、各ランプ２１により照明された原稿からの反射光をラインＣＣＤ２１ｇへ導くための光学系２１ｆとを搭載する。
【０００８】
画像読取装置Ａは、原稿流し読みモードと固定原稿読みモードの２つの読取モードを有し、それぞれのモードで原稿の読み取りを行うことが可能である。
【０００９】
原稿流し読みモードは、ＡＤＦ２から給紙された原稿を副走査方向へ搬送しながらスキャナユニット２１により読み取るモードである。具体的には、ＡＤＦ２から原稿Ｄが給紙され、この原稿Ｄは、副走査方向へ搬送される。この際、スキャナユニット２１は、流し読みガラス１０２と対向する流し読み位置１０１に停止されている。そして、副走査方向へ搬送されている原稿Ｄが上記流し読み位置１０１を通過する際に、スキャナユニット２１により原稿Ｄの主走査方向の読み取りが行われる。これにより、原稿Ｄの片面全体が読み取られることになる。そして、原稿は搬送ローラ４８および排出ローラ５９により排出トレイ５０へ排出される。このようにして、原稿Ｄの片面の読み取りが行われる。
【００１０】
また、原稿流し読みモードにおいて、両面読取モードが選択されている場合、上記原稿Ｄの一方の面の読み取り終了後、当該原稿Ｄは、排出ローラ４９により、その後端が反転フラッパ１５２を抜けるまで、装置外へ引き出される。次いで、反転フラップ１５２が切り換えられるとともに、排出ローラ４９が逆転駆動される。これにより、原稿Ｄは反転搬送路１５３へ導かれて、その読取面が反転された状態になる。そして、原稿Ｄは、再度、搬送ローラ４６により、上記流し読み位置１０１へ向けて搬送され、原稿Ｄの他方の面がスキャナユニット１２１により読み取られる。このようにして、原稿Ｄの両面の読み取りが行われる。
【００１１】
これに対し、固定原稿読みモードの場合、プラテンガラス２２上の所定位置に原稿Ｄが載置され、載置された原稿Ｄに対して、スキャナユニット２１が副走査方向へ移動される。すなわち、プラテンガラス２２上の原稿Ｄに対してスキャナユニット２１が原稿Ｄの主走査方向の読み取りを行いながら、副走査方向へ移動されることによって、原稿の全体が読み取られることになる。
【００１２】
プリンタ装置Ｂは、レーザユニット３を有する。レーザユニット３は、画像読取装置Ａにより読み取られた画像データ（ビデオ信号）に基づいてレーザ光を変調し、このレーザ光を感光ドラム１０に照射する。これにより、感光ドラム１０上には、静電潜像が形成される。感光ドラム１０上に形成された静電潜像は、現像器１１から供給されたトナーよりトナー像として可視像化される。このトナー像は、転写器６により、給紙カセット４からレジストローラ５を経て給紙された用紙Ｐ上に転写される。トナー像が転写された用紙Ｐは、定着器７に送られ、定着器７は、用紙Ｐを熱圧することによって、トナー像を用紙Ｐ上に定着させる。トナー像が定着された用紙Ｐは、排出ローラ８を介して、排出トレイ９上に排出される。
【特許文献１】特開平７−１１０６４１号公報
【発明の開示】
【発明が解決しようとする課題】
【００１３】
しかしながら、従来の画像読取装置Ａにおいては、原稿流し読みモードに、ラインＣＣＤ、光学系などを搭載するスキャナユニット２１が用いられているので、原稿流し読みモードを実現するための構成が複雑化し、装置の低コスト化および小型化は難しい。
【００１４】
また、原稿の両面読取を可能にする場合、原稿を反転させるための反転フラッパ１５２、反転搬送路１５３などが必要であるので、装置の大型化、コストアップを招き、さらに、装置の低コスト化および小型化を図ることは難しくなる。
【００１５】
本発明の目的は、簡素な構成で、原稿を搬送しながら該原稿上の画像情報を読み取ることができる画像読取装置および画像形成装置を提供することにある。
【課題を解決するための手段】
【００１６】
本発明は、上記目的を達成するため、互いに間隔をおいて対向しかつ原稿の搬送方向へ伸びる１対の案内部材を有する搬送路と、前記搬送路に沿って原稿を搬送する原稿搬送手段と、可撓性を有し、複数の光センサが配置されているシート状の基材からなる画像読取手段とを備え、原稿の搬送方向に対して傾斜させることで前記基材の端部が前記１対の案内部材の一方と当接するように前記１対の案内部材の他方に前記基材が固着され、前記原稿搬送手段により原稿を搬送して前記基材の前記端部と前記一方の案内部材との間を通過させながら、前記原稿上の画像情報を前記画像読取手段により読み取ることを特徴とする画像読取装置を提供する。
【００１７】
本発明は、上記目的を達成するため、上記画像読取装置を備えることを特徴とする画像形成装置を提供する。
【発明の効果】
【００１８】
本発明によれば、簡素な構成で、原稿を搬送しながら該原稿上の画像情報を読み取ることができる。
【発明を実施するための最良の形態】
【００１９】
以下、本発明の実施の形態について図面を参照しながら説明する。
【００２０】
図１は本発明の一実施の形態に係る画像読取装置を備える画像形成装置の構成を示す縦断面図である。
【００２１】
画像形成装置は、図１に示すように、原稿上の画像情報を読み取るための画像読取装置Ａおよび画像読取装置Ａにより読み取られた画像情報を用紙上へ形成するプリンタ装置Ｂを備える。
【００２２】
画像読取装置Ａは、ＡＤＦ４０と、スキャナ装置２０とから構成される。ＡＤＦ４０は、原稿Ｄが積載される原稿トレイ１２および原稿トレイ１２上の原稿Ｄの有無を検知するための原稿検知センサ４５を有する。原稿トレイ１２に積載された原稿Ｄは、ピックアップローラ４３および分離ローラ対４４ａ，４４ｂにより、１枚ずつ分離されて装置内に引き込まれる。そして、引き込まれた原稿Ｄは、搬送ローラ４６により、第１の読取部３０へ向けて搬送される。搬送ローラ４６の近傍位置には、原稿Ｄの端部を検出する原稿エッジセンサ４７が配置されている。この原稿エッジセンサ４７の検知信号は、例えば原稿詰まりなどの検出に用いられる。
【００２３】
第１の読取部３０には、スキャナユニット５９が配置されている。スキャナユニット５９は、原稿Ｄがスキャナユニット５９を通過する際に、原稿Ｄの一方の面上の画像情報を読み取る。第１の読取部３０を通過した原稿は、搬送ローラ４８により、第２の読取部３１へ向けて搬送される。第２の読取部３１には、スキャナユニット６０が配置されている。スキャナユニット６０は、原稿Ｄがスキャナユニット６０を通過する際に、原稿Ｄの他方の面上の画像情報を読み取る。上記第１および第２の読取部３０，３１とスキャナユニット５９，６０の詳細については、後述する。
【００２４】
第２の読取部３１を通過した原稿Ｄは、Ｕターンパス４０ａおよび排出ローラ５１を経て、排出トレイ５０へ排出される。
【００２５】
ＡＤＦ４０は、スキャナ装置２０に対して開閉可能に構成されており、ＡＤＦ４０を開くことによって、後述するスキャナ装置２０のプラテンガラス２２上に原稿を載置することが可能である。ＡＤＦ４０は、白地板４２を有し、白地板４２は、ＡＤＦ４０が閉じられたときに、プラテンガラス２２と対向するように配置されている。この白地板４２により、プラテンガラス２２上に載置された原稿は、プラテンガラス２２に密着される。
【００２６】
スキャナ装置２０は、スキャナユニット２１と、原稿が載置されるプラテンガラス２２とを有する。スキャナユニット２１は、プラテンガラス２２の下方に配置され、ガイドレール２４に案内されながら副走査方向へ移動可能である。スキャナユニット２１には、原稿を照明するための複数のランプ２１ｃと、ラインＣＣＤ２１ｇと、各ランプ２１ｃにより照明された原稿からの反射光をラインＣＣＤ２１ｇへ導くための光学系２１ｆとが搭載される。光学系２１ｆには、複数の反射ミラーおよび結像レンズが含まれる。
【００２７】
画像読取装置Ａは、ＡＤＦ４０を用いたＡＤＦ読取モードとスキャナユニット２１を用いた固定原稿読取モードの２つのモードを有し、それぞれにモードで原稿の読み取りを行うことが可能である。
【００２８】
ＡＤＦ読取モードの場合、ＡＤＦ４０により原稿トレイ１２に積載された原稿が給紙される。そして、給紙された原稿Ｄは、第１の読取部３０へ送られ、スキャナユニット５９により原稿Ｄの一方の面（表面）上の画像情報が読み取られる。第１の読取部３０を通過した原稿Ｄは、第２の読取部３１へ送られる。ここで、両面読取モードが設定されている場合、第２の読取部３１のスキャナユニット６０により、原稿Ｄの他方の面（裏面）上の画像情報が読み取られる。そして、第２の読取部３１を通過した原稿Ｄは、Ｕターンパス４０ａおよび排出ローラ５１を経て、排出トレイ５０へ排出される。
【００２９】
これに対し、固定原稿読取モードの場合、ＡＤＦ４０が開放され、プラテンガラス２２上の所定位置に原稿が載置される。そして、この載置された原稿に対して、スキャナユニット２１が副走査方向へ移動される。すなわち、プランテンガラス２２上の原稿に対してスキャナユニット２１が原稿の主走査方向の読み取りを行いながら、副走査方向へ移動されることによって、原稿の全体が読み取られることになる。
【００３０】
プリンタ装置Ｂは、図５に示すプリンタ装置Ｂと同じ構成を有するものであり、この構成についての説明は、省略する。
【００３１】
次に、第１の読取部３０の詳細について図２および図３を参照しながら説明する。図２は図１の第１の読取部３０の構成を示す縦断面図である。図３（ａ）はスキャナユニット５９における複数の読取画素の配列を示す平面図、図３（ｂ）は読取画素の構成を示すブロック図である。
【００３２】
原稿トレイ１２から給紙された原稿Ｄは、図２に示すように、１対の案内部材２０１，２０２から構成される搬送路に沿って、第１の読取部３０に搬入される。ここで、各案内部材２０１，２０２は、互いに対向しかつ平行になるように配置されている。案内部材２０１の下流側の端部２０１ａは、案内部材２０２に対して所定の角度を成すように、斜め上方に向けて折り曲げられている。案内部材２０２は、図中の矢印で示す原稿搬送方向Ｅへ向けて伸び、案内部材２０１の端部２０１ａの延長線上の部置には、シェーディングデータを得るための基準部材２０２ａが設けられている。
【００３３】
第１の読取部３０においては、スキャナユニット５９が設けられている。スキャナユニット５９は、矩形の平面形状を有するシート状の基材からなる。この基材は、光透過性（透明の場合を含む）および可撓性を有する樹脂材製のシートからなる。スキャナユニット５９は、１つの端部５９ａが案内部材２０２上の基準部材２０２ａと接触するように案内部材２０１の端部２０１ａに固着されている。すなわち、スキャナユニット５９は、上記搬送路を塞ぐように該搬送路に対して傾けて配置されている。スキャナユニット５９（基材）は可撓性を有するので、原稿Ｄは、スキャナユニット５９の端部５９ａを押し上げ、スキャナユニット５９の読取画素が設けられている読取領域部（端部５９ａを含む）と基準部材２０２ａとの間に挟まれながら通過する。この際、スキャナユニット５９の弾性変形による反力により、スキャナユニット５９の上記読取領域部は、原稿Ｄの表面と密着され、スキャナユニット５９の上記読取領域部の各読取画素により原稿Ｄの表面上の画像情報が読み取られる。
【００３４】
このスキャナユニット５９の上記読取領域部に対応する基材８０表面の領域には、図３（ａ）に示すように、原稿Ｄ上の画像情報を読み取るための複数の読取画素８１がマトリックス状に配列されている。ここで、マトリクスの列方向へ並ぶ各読取画素８１は、それぞれ、対応するワードライン８３と接続され、各ワードライン８３は、それぞれ、対応するワードラインセレクタ９０を介して列デコードライン８７と接続される。また、マトリクスの行方向へ並ぶ各読取画素８１は、それぞれ、対応するビットライン８４と接続され、各ビットライン８４は、それぞれ、対応するビットラインセレクタ９１を介して行デコードライン８９と接続される。列デコードライン８７と行デコードライン８９は、画像処理部５８に接続されている。ここで、各読取画素８１の裏面側には、それぞれ、後述する光源２０３からの光が読取画素８１へ直接入射することを防止するための遮光膜（図示せず）が形成されている。また、基材８０の表面には、各読取画素８１を保護するための保護層（図示せず）が形成され、当該保護層は、光透過性を有する。
【００３５】
このような構成において、上記列デコードライン８７と行デコードライン８９のアドレス指定によって、所定の読取画素８１から電流値を読み出すことが可能である。
【００３６】
各読取画素８１は、図３（ｂ）に示すように、光を受光すると、その受光量に応じた電流を発生する有機フォトダイオード８１ａと、有機トランジスタ８１ｂと有する。そして、有機トランジスタ８１ｂをスイッチング動作させることによって、有機フォトダイオード８１ａに生じた電流が読み出される。ここで、有機フォトダイオード８１ａおよび有機トランジスタ８１ｂは、有機半導体である。
【００３７】
このように、各読取画素８１が有機半導体から構成されているので、例えば精密印刷技術等を用いることにより、基材８０の表面上に複数の読取画素８１および周辺回路を形成することが可能である。
【００３８】
ここで、複数の読取画素８１がマトリクス状に配列されているが、これに代えて、原稿Ｄの搬送方向と直交する１列のみの読取画素列を構成するような読取画素８１の配列でもよい。
【００３９】
スキャナユニット５９の裏面側には、図２に示すように、光源２０３が配置されている。光源２０３が発する光は、スキャナユニット５９の各読取画素８１間の部位を透過して、原稿Ｄまたは基準部材４２を照明する。
【００４０】
第２の読取部３１においては、スキャナユニット６０が原稿Ｄの裏面上の画像情報を読み取るように配置されている。このスキャナユニット６０は、上記スキャナユニット５０と同様に、複数の読取画素がマトリクス状に配列されている基材から構成されている。このスキャナユニット６０の支持構造（図示せず）は、上記第１の読取部３０のスキャナユニット５９の支持構造と同様に構成されている。また、基準部材（図示せず）および光源（図示せず）が設けられている。
【００４１】
原稿Ｄが上記第２の読取部３１を通過する際、原稿Ｄは、スキャナユニット６０の読取領域部（読取画素の配列領域）と上記基準部材との間に挟まれながら通過する。この際、原稿Ｄの裏面は、スキャナユニット６０の上記読取領域部と密着され、スキャナユニット６０の上記読取領域部の各読取画素により原稿Ｄの裏面上の画像情報が読み取られる。
【００４２】
次に、画像処理部５８の構成について図４を参照しながら説明する。図４は図３の画像処理部５８の構成を示すブロック図である。
【００４３】
画像処理部５８は、図４に示すように、各スキャナユニット５９，６０からそれぞれ出力される画像信号をデジタル画像信号へ変換するＡ／Ｄ変換器５０１を有する。Ａ／Ｄ変換器５０１から出力されるデジタル画像信号は、シェーディング補正回路５０２へ入力される。シェーディング補正回路５０２は，入力されたデジタル画像信号に対してシェーディング補正を施す。このシェーディング補正された画像信号は、画像処理回路５０３へ入力される。画像処理回路５０３は、入力された画像信号に対して所定の画像処理を施し、所定の画像処理が施された画像信号を、画像データとして、Ｉ／Ｆ回路５０４を介して、プリンタ装置Ｂへ送出する。
【００４４】
次に、本実施の形態のＡＤＦ読取モードについて説明する。
【００４５】
ＡＤＦ読取モードにより原稿Ｄを読み取る場合、ユーザによりＡＤＦ読取モードが選択される。また、原稿の片面のみを読み取る片面読取モード、原稿の両面を読み取る両面読取モードのいずれかが選択される。そして、ＡＤＦ４０の原稿トレイ１２に読み取るべき１枚以上の原稿Ｄが積載される。
【００４６】
次いで、ユーザにより読取開始命令が出されると、第１の読取部３０において、光源２０３が点灯され、基準部材２０２ａが照明される。そして、スキャナユニット５９の基準部材２０２ａと密着する領域に設けられている各読取画素８１から電気信号（画像信号）が読み出される。この読み出された電気信号は、画像処理部５８に入力される。画像処理部５８は、入力された電気信号をデジタル信号に変換してシェーディングデータとしてメモリ（図示せず）に保持する。また、両面読取モードが選択されている場合、第２の読取部３１において、第１の読取部３０と同様に、シェーディングデータの取得が行われることになる。
【００４７】
シェーディングデータの取得後、ＡＤＦ４０により、原稿トレイ１２に積載された原稿Ｄの給紙が開始される。そして、給紙された原稿Ｄは、第１の読取部３０へ送られる。第１の読取部３０に送られた原稿Ｄは、スキャナユニット５９の端部５９ａを上方に押し上げ、スキャナユニット５９の上記読取領域部（端部５９ａを含む）と基準部材２０２ａとの間に挟まれながら通過する。この際、原稿Ｄの表面は、スキャナユニット５９の上記読取領域部と密着され、原稿Ｄの表面上の画像情報は、スキャナユニット５９の上記読取領域部の各読取画素８１により読み取られる。各読取画素８１により読み取られた画像信号は、画像処理部５８において、上記取得されたシェーディングデータに基づいたシェーディング補正を含む、各種処理が施された後に、画像データとしてプリンタ装置Ｂへ送出される。
【００４８】
第１の読取部３０を通過した原稿Ｄは、第２の読取部３１へ送られる。第２の読取部３１に送られた原稿Ｄは、スキャナユニット６０の端部を押し上げ、スキャナユニット６０の読取領域部と基準部材との間に挟まれながら通過する。ここで、両面読取モードが設定されている場合、原稿Ｄの裏面に対して密着されるスキャナユニット６０の上記読取領域の各読取画素により、原稿Ｄの裏面上の画像情報が読み取られることになる。そして、各読取画素により読み取られた画像信号は、画像処理部５８において、上記取得されたシェーディングデータに基づいたシェーディング補正を含む、各種処理が施された後に、画像データとしてプリンタ装置Ｂへ送出される。
【００４９】
第２の読取部３１を通過した原稿Ｄは、Ｕターンパス４０ａを経て、排出ローラ５１により、排出トレイ５０へ排出される。
【００５０】
このように、本実施の形態によれば、簡素な構成で、原稿を搬送しながら該原稿上の画像情報を読み取ることができる。
【００５１】
具体的には、スキャナユニット５９，６０は、可撓性を有するので、原稿Ｄ上の画像を読み取る際に、スキャナユニット５９，６０の読取領域部と原稿Ｄとは密着される。これにより、原稿Ｄとスキャナユニット５９，６０とを互いに密着させるための加圧手段を設ける必要がない。
【００５２】
また、原稿Ｄを反転させることなく、２つのスキャナユニット５９，６０を用いて原稿Ｄの表面および裏面の画像情報をそれぞれ読み取ることができる。これにより、原稿反転機構、反転搬送路などが不要となり、画像読取装置Ａの小型化、低コスト化を実現することができる。さらに、原稿Ｄの両面を読み取る際に掛かる時間が短縮され、生産性の向上を図ることができる。
【００５３】
また、各スキャナユニット５９，６０の各読取画素が有機半導体から構成されるので、各スキャナユニット５９，６０の製造方法は、ＣＣＤなどの無機半導体を用いた光センサに対して簡単であり、単位面積当たりの製造コストを安くすることができる。
【００５４】
また、本実施の形態においては、固定原稿読取モードを可能にするために、スキャナ装置２０が設けられているが、これを除いた画像読取装置を構成することも可能である。この場合、１以上のスキャナユニット５９，６０と、原稿を搬送する搬送手段とを搭載する簡易型の画像読取装置を、低コストで実現することができる。
【図面の簡単な説明】
【００５５】
【図１】本発明の一実施の形態に係る画像読取装置を備える画像形成装置の構成を示す縦断面図である。
【図２】図１の第１の読取部３０の構成を示す縦断面図である。
【図３】（ａ）はスキャナユニット５９における複数の読取画素の配列を示す平面図、（ｂ）は読取画素の構成を示すブロック図である。
【図４】図３の画像処理部５８の構成を示すブロック図である。
【図５】従来の画像読取装置を備える画像形成装置の構成を示す縦断面図である。
【符号の説明】
【００５６】
Ａ  画像読取装置
Ｂ  プリンタ装置
Ｄ  原稿
４０  ＡＤＦ
５９，６０  スキャナユニット（第１および第２の画像読取手段）
８０  基材
８１  読取画素
２０１，２０２  案内部材
２０２ａ  基準部材
２０３  光源
【図１】
2007180844.tif 000003
【図２】
2007180844.tif 000004
【図３】
2007180844.tif 000005
【図４】
2007180844.tif 000006
【図５】
2007180844.tif 000007